(57)【要約】  【課題】  現在記録中のメディアの残りの記録可能時間を外部から視覚的に判断可能とすると共に、メディアを交換しながら複数のメディア間での連続的な記録を可能とする。  【解決手段】  ビデオカメラ１は、着脱自在なメディア１３にデータを記録し、メディア１３に空き容量が無くなると、内部のバッファにデータの記録先が切り替わる。表示部１４には、メディア１３およびバッファの空き状況がそれぞれ表示され、メディア１３およびバッファの残りの記録可能時間を視覚的に知ることができる。メディア１３に空き容量が無くなり、バッファに記録が移った際に、バッファの空き状況を確認しながらメディア１３を交換できる。メディア１３が交換されると、バッファ内のデータが新たなメディア１３に記録される。複数のメディア１３間でデータを連続的に記録することができる。【選択図】  図１
2005310214.tif 000002
【特許請求の範囲】
【請求項１】
記録データを着脱自在な記録媒体に記録する記録手段と、
上記記録媒体に上記記録データを記録できないときに該記録データを記憶する記憶手段と、
上記記録手段に装填された上記記録媒体の空き状況と、上記記憶手段の空き状況とを表示する表示手段と
を有することを特徴とする記録装置。
【請求項２】
請求項１に記載の記録装置において、
上記表示手段は、上記空き状況を発光によって表示するようにしたことを特徴とする記録装置。
【請求項３】
請求項２に記載の記録装置において、
上記記憶手段の空き状況と、上記記録手段に装填された上記記録媒体の空き状況とを、互いに異なる発光色で表示するようにしたことを特徴とする記録装置。
【請求項４】
請求項２に記載の記録装置において、
上記表示手段は、上記空き状況に応じて上記発光の間隔を変化させることを特徴とする記録装置。
【請求項５】
請求項１に記載の記録装置において、
上記表示手段は、上記空き状況を文字情報によって表示するようにしたことを特徴とする記録装置。
【請求項６】
請求項６に記載の記録装置において、
上記文字情報は、上記空き状況に対応する記録または記憶可能時間を示す時間情報であることを特徴とする記録装置。
【請求項７】
請求項１に記載の記録装置において、
上記記憶手段に上記記録データを記憶させている間に上記記録手段に装填された上記記録媒体が交換されたら、該記憶手段に記憶された該記録データを交換された該記録媒体に記録するようにしたことを特徴とする記録装置。
【請求項８】
請求項１に記載の記録装置において、
複数の上記記録手段を有し、上記表示手段は、該複数の記録手段に装填された上記記録媒体の空き状況をそれぞれ表示することを特徴とする記録装置。
【請求項９】
請求項８に記載の記録装置において、
上記記憶手段に上記記録データを記憶させている間に複数の上記記録手段の何れかに装填された上記記録媒体が交換されたら、該記憶手段に記憶された該記録データを交換された該記録媒体に記録するようにしたことを特徴とする記録装置。
【請求項１０】
記録データを着脱自在な記録媒体に記録する記録のステップと、
上記記録媒体に上記記録データを記録できないときに該記録データを記憶手段に記憶するステップと、
上記記憶手段の空き状況と、上記記録媒体の空き状況とを表示する表示のステップと
を有することを特徴とする記録方法。
【請求項１１】
記録データを着脱自在な記録媒体に記録するようにした記録装置における表示方法であって、
上記記録媒体の空き状況と、上記記録媒体に上記記録データを記録できないときに該記録データを記憶する記憶手段の空き状況とを表示するようにしたことを特徴とする表示方法。
【発明の詳細な説明】
【技術分野】
【０００１】
この発明は、現在記録中の、着脱可能な記録メディアおよび／または内部バッファメモリの空き状況を、外部から視覚的に認識することができるようにし、記録メディアを順次使用しての連続記録を容易に行うことができるようにした記録装置および方法、ならびに、表示方法に関する。
【背景技術】
【０００２】
近年では、記録可能な光ディスクや半導体メモリに関する技術が向上し、その記録容量が従来に比べ格段に増大してきている。それに伴い、放送局用の映像機器においても、記録メディアに光ディスクや半導体メモリを用いた映像機器が出現してきている。これら光ディスクや半導体メモリは、ランダムアクセスが可能であると共に、一般的には、コンピュータ装置に適用されるファイルシステムに準じた方式でデータの管理がなされ、従来から用いられている磁気テープと比して、アクセス性やデータの管理などの面で格段に有利である。特に、半導体メモリは、小型で可動部分が無いため、振動に強い、低消費電力、多数のメディアを持ち歩いても嵩張らない、などの点から、携帯型のビデオカメラの記録メディアとして用いて好適である。特許文献１には、メモリカードを用いたビデオカメラが記載されている。
【特許文献１】特開２００３−２０４５２７
【発明の開示】
【発明が解決しようとする課題】
【０００３】
ところで、従来から映像信号の記録に用いられている磁気テープでは、現在記録中のメディアに後どの程度の時間、記録が可能であるかを、例えば磁気テープのリールに対する巻き量をビデオカセットの窓から見ることで、視覚的に判断することができた。すなわち、磁気テープでは、リールに対するテープの巻き付き量を見ることで、現在テープ全長のどの部分に記録を行っているかが容易に判断でき、それにより、残りの記録可能時間を推測することが可能であった。
【０００４】
これに対し、光ディスクや半導体メモリといった記録メディアでは、現在の記録位置などを記録状態から視覚的に判断することが難しく、残りの記録時間の推測が困難であった。特に、半導体メモリでは可動部分が無いために、記録位置や記録状態を外部から視覚的に判断することが不可能であり、残りの記録可能時間を推測することができず、不便であるという問題点があった。
【０００５】
タイムコード表示などにより記録時間を計算し、それに基づいて残りの記録可能時間を求めることも考えられる。しかしながら、この場合には、現在記録中である記録メディアの総記録可能時間が分からないと残りの記録可能時間を求めることができない。そのため、状況によっては一旦記録を終了させ、記録メディアを装置から取り外して当該記録メディアの機種名などから残りの記録可能時間を判断することになり、極めて不便であるという問題点があった。
【０００６】
また、近年では、記録メディアを交換しながら、複数の記録メディア間で記録データが連続するように記録できるような仕組みが求められていた。
【０００７】
したがって、この発明の目的は、現在記録中の記録メディアの残りの記録可能時間を外部から視覚的に判断できるようにした記録装置および方法、ならびに、表示方法を提供することにある。
【０００８】
また、この発明の別の目的は、記録メディアを交換しながら複数の記録メディア間で記録データが連続的になるように記録することができるようにした記録装置および方法、ならびに、表示方法を提供することにある。
【課題を解決するための手段】
【０００９】
この発明は、上述した課題を解決するために、記録データを着脱自在な記録媒体に記録する記録手段と、記録媒体に記録データを記録できないときに記録データを記憶する記憶手段と、記録手段に装填された記録媒体の空き状況と、記憶手段の空き状況とを表示する表示手段とを有することを特徴とする記録装置である。
【００１０】
また、この発明は、記録データを着脱自在な記録媒体に記録する記録のステップと、記録媒体に記録データを記録できないときに記録データを記憶手段に記憶するステップと、記憶手段の空き状況と、記録媒体の空き状況とを表示する表示のステップとを有することを特徴とする記録方法である。
【００１１】
また、この発明は、記録データを着脱自在な記録媒体に記録するようにした記録装置における表示方法であって、記録媒体の空き状況と、記録媒体に記録データを記録できないときに記録データを記憶する記憶手段の空き状況とを表示するようにしたことを特徴とする表示方法である。
【００１２】
上述したように、この発明は、記録データを着脱自在な記録媒体に記録するようにされ、記録媒体の空き状況と、記録媒体に記録データを記録できないときに記録データを記憶する記憶手段の空き状況とを表示するようにしているため、現在記録中の記録メディアの残りの記録時間を視覚的に知ることができると共に、記憶手段の空き状況の表示を見ることで、記録媒体の交換のタイミングを知ることができる。
【発明の効果】
【００１３】
この発明は、記録メディアに対して記録を行っている間は、記録メディアの空き容量に応じて表示部の表示を変化させるようにしているので、ユーザは、記録メディアの空き状況を外部から確認することができる効果がある。
【００１４】
また、記録メディアの空き容量が無くなると、データの記録先がバッファメモリに切り替わるようにされ、バッファメモリに対して記録を行っている間は、バッファメモリの空き容量に応じて表示部の表示を変化させるようにしている。そのため、ユーザは、バッファメモリの空き状況を把握できる効果がある。
【００１５】
またそれにより、メディア装填部に装填されている記録メディアを交換可能なタイミングを知ることができるため、記録メディアを交換しながらのシームレスな連続記録が実現できる効果がある。
【００１６】
さらに、この発明は、複数のメディア装填部にそれぞれ装填された複数の記録メディアのうち現在記録が行われている記録メディアについて、当該記メディアの空き容量に応じて表示部の表示を変化させるようにしているので、ユーザは、現在どの記録メディアに対して記録を行っていて、記録中の記録メディアの空き状況がどうなっているかを外部から即座に確認することができるという効果がある。
【００１７】
さらにまた、複数の記録メディアのうち１の記録メディアの空き容量が無くなると、データの記録先が次の記録メディアに切り替わり、複数のメディア装填部に装填された全ての記録メディアについて空き容量が無くなると、データの記録先がバッファメモリに切り替わるようにされている。そして、バッファメモリに対して記録を行っている間も、バッファメモリの空き容量に応じて表示部の表示が変化させるようにしている。
【００１８】
そのため、ユーザは、バッファメモリの情報を容易に把握できると共に、複数のメディア装填部のそれぞれについて、装填されている記録メディアを交換可能なタイミングを知ることができる。特に、多数（５枚など）の記録メディアを同時に装填できるようにされた装置の場合、どの記録メディアが記録中で、どの記録メディアに空き容量が無いかが一目で分かるので、交換すべき記録メディアを即座に判断することができる。そのため、記録メディアを交換しながらのシームレスな連続記録が実現できる効果がある。
【発明を実施するための最良の形態】
【００１９】
以下、この発明の実施の第１の形態を、図面を参照しながら説明する。図１は、この発明の実施の第１の形態に適用されるビデオカメラ装置１の外観を概略的に示す。なお、図１において、ビューファインダや操作部など、この発明にとって関連性の薄い部分については、繁雑さを避けるため、記載を省略する。この発明の実施の第１の形態では、ビデオカメラ装置１は、本体１０に対して、記録メディア１３が着脱自在に装填可能なメディア装填部１２が設けられる。また、表示部１４は、記録メディア１３や本体１０に内蔵のバッファメモリなど、記録中の記録メディアの残りの記録可能時間（以下、残記録時間と呼ぶ）に関する表示を行う。
【００２０】
ビデオカメラ装置１は、光学系１１を介して入射された被写体からの光に基づく映像信号をディジタルビデオ信号に変換し、さらに所定に圧縮符号化して、メディア装填部１２に対して装填された記録メディア１３に記録する。
【００２１】
記録メディア１３の残記録時間が所定時間以下になると、表示部１４にその旨が表示される。ユーザは、この表示部１４の表示に基づき、記録メディア１３の空き状況を知ることができる。また、記録メディア１３の残記録時間が無くなると、映像信号の記録先が本体１０内のバッファメモリに移行され、バッファメモリの残記録時間が所定量以下になると、表示部１４にその旨が表示される。ユーザは、現在記録を行っている記録メディアの残記録時間を、容易に、外部から視覚的に知ることができる。
【００２２】
なお、記録メディア１３の種類は、特に限定されない。例えば、本体１０に光ディスクのドライブ装置を設け、記録可能な光ディスクを記録メディア１３として用いることができる。メディア装填部１２は、光ディスクを本体１０に送り込み装填する構造とされる。これに限らず、脱着自在にされた半導体メモリを記録メディア１３として用いることができる。この場合には、メディア装填部１２は、内部に半導体メモリ用のコネクタが設けられたスロットとされる。また、磁気テープを記録メディア１３として用いることもできる。
【００２３】
図２は、表示部１４の例を示す。図２Ａは、表示素子として発光素子を用いたインジケータの例である。この図２Ａの例では、発光素子としてＬＥＤ(Light Emitting Diode)を用い、インジケータ１４Ａは、赤色に発光するＬＥＤ（赤色ＬＥＤと呼ぶ）を用い、インジケータ１４Ｂは、緑色に発光するＬＥＤ（緑色ＬＥＤと呼ぶ）を用いている。赤色ＬＥＤによるインジケータ１４Ａは、バッファメモリの空き状況を示す表示を行い、緑色ＬＥＤによるインジケータ１４Ｂは、メディア装填部１２に装填された記録メディア１３の空き状況を示す表示を行う。インジケータ１４Ａおよび１４Ｂ共に、点灯および点滅、ならびに、点滅の間隔の長短などを組み合わせることで、記録メディア１３やバッファメモリについて、残記録時間の有無および大小、記録の可否といった、様々な状態を表現することができる。
【００２４】
なお、図２Ａの例では、赤色ＬＥＤと緑色ＬＥＤとをそれぞれ独立した発光素子として示したが、これはこの例に限られない。例えば、赤色ＬＥＤと緑色ＬＥＤとが１つのパッケージに封入されたタイプの素子を用いることもできる。
【００２５】
図３および図４のフローチャートを用いて、表示部１４として、図２Ａの赤色および緑色のＬＥＤによるインジケータ１４Ａおよび１４Ｂを用いた場合の、この実施の第１の形態による残記録時間表示の一例の処理について説明する。なお、図３および図４において、符号「Ａ」および「Ｂ」は、処理がそれぞれ図３または図４の対応する符号に移行することを示す。
【００２６】
図３および図４のフローチャートの処理に先立って、メディア装填部１２には既に記録メディア１３が装填され、撮像されたビデオ信号の記録メディア１３に対する記録が開始されているものとする。メディア装填部１２に対して、空き容量が十分ある記録メディア１３が装填され、記録が開始された初期状態では、赤色ＬＥＤのインジケータ１４Ａは消灯状態、緑色ＬＥＤのインジケータ１４Ｂは点灯状態とされる。
【００２７】
ステップＳ１０で、現在記録中の記録メディア１３の空き容量が取得され、記録メディア１３が記録可能な空き容量を有しているか否かが判断される。若し、記録可能な空き容量を有していると判断されれば、処理はステップＳ１１に移行する。
【００２８】
ステップＳ１１では、ステップＳ１０で取得された空き容量が例えば１０分以上の記録が可能な容量であるか否かが判断される。一例として、記録するビデオデータのビットレートが５０Ｍｂｐｓ(Mega bit per second)であれば、記録メディア１３に３．７５ＧＢ(Giga Byte)以上の空き容量があれば、１０分以上の記録が可能である。若し、ステップＳ１１で１０分以上の記録が可能な空き容量が記録メディア１３に存在すると判断されれば、処理はステップＳ１２に移行され、記録メディア１３に対する記録が継続される。
【００２９】
ステップＳ１１で、記録メディア１３の空き容量が１０分以上の記録が可能な容量ではないと判断されると、処理はステップＳ１３に移行される。ステップＳ１３では、記録メディア１３の空き容量が例えば５分以上（且つ１０分未満）の記録が可能な容量であるか否かが判断される。若し、空き容量が５分以上の記録が可能な容量であると判断されれば、処理はステップＳ１４に移行され、緑色ＬＥＤのインジケータ１４Ｂが例えば１５秒間隔の点滅状態にされる。そして、処理はステップＳ１２に移行して、記録メディア１３に対する記録が継続される。
【００３０】
ステップＳ１３で、記録メディア１３の空き容量が５分以上の記録が可能な容量ではないと判断されると、処理はステップＳ１５に移行される。ステップＳ１５では、記録メディア１３の空き容量が例えば２分以上（且つ５分未満）の記録が可能な容量であるか否かが判断される。若し、空き容量が２分以上の記録が可能な容量であると判断されれば、処理はステップＳ１６に移行され、緑色ＬＥＤのインジケータ１４Ｂが例えば５秒間隔の点滅状態にされる。そして、処理はステップＳ１２に移行して、記録メディア１３に対する記録が継続される。
【００３１】
ステップＳ１５で、記録メディアの空き容量が２分以上の記録が可能な容量ではないと判断されると、処理はステップＳ１７に移行され、緑色ＬＥＤのインジケータ１４Ｂが例えば１秒間隔の点滅状態にされる。そして、処理はステップＳ１２に移行され、記録メディア１３に対する記録が継続される。
【００３２】
なお、ステップＳ１０〜ステップＳ１２までの処理は、記録メディア１３に空き領域が無くなるか、記録が中断されるまで繰り返される。
【００３３】
一方、上述したステップＳ１０において、記録メディア１３が記録可能な空き容量を有していないと判断されれば、処理はステップＳ１８に移行されて緑色ＬＥＤのインジケータ１４Ｂが消灯状態とされ、次のステップＳ１９から、記録が記録メディア１３に対する記録からバッファメモリに対する記録に切り替えられる。例えば、上述したステップＳ１７の状態から記録メディア１３に対する記録を２分以上継続すると、記録メディア１３に記録可能な空き容量が存在しなくなることが予測される。
【００３４】
バッファメモリに対する記録に切り替わると、処理は図４のステップＳ２０に移行され、バッファメモリが記録可能な空き容量を有しているか否かが判断される。若し、記録可能な空き容量を有していると判断されれば、処理はステップＳ２１に移行する。ステップＳ２１では、ステップＳ２０で取得されたバッファメモリの空き容量が例えば３０秒以上の記録を可能な容量であるか否かが判断される。若し、３０秒以上の記録を可能な空き容量であると判断されれば、処理はステップＳ２２に移行され、バッファメモリに対する記録が継続される。
【００３５】
一方、ステップＳ２１で、バッファメモリの空き容量が３０秒以上の記録を可能な容量ではないと判断されると、処理はステップＳ２５に移行される。ステップＳ２５では、バッファメモリの空き容量が例えば１５秒以上（且つ３０秒未満）の記録が可能な容量であるか否かが判断される。若し、空き容量が１５秒以上の記録が可能な容量であると判断されれば、処理はステップＳ２６に移行され、赤色ＬＥＤのインジケータ１４Ａが例えば２秒間隔の点滅状態とされる。そして、処理はステップＳ２２に移行し、バッファメモリに対する記録が継続される。
【００３６】
ステップＳ２５で、バッファメモリの空き容量が１５秒以上の記録が可能な容量ではないと判断されると、処理はステップＳ２７に移行され、赤色ＬＥＤのインジケータ１４Ａが例えば１秒間隔の点滅状態とされる。そして、処理はステップＳ２２に移行され、バッファメモリに対する記録が継続される。
【００３７】
ステップＳ２２において、バッファメモリへの記録が継続されると、次のステップＳ２３で、記録メディア１３が交換されたか否かが判断される。一例として、記録メディア１３に固有の識別情報などを、記録メディア１３がメディア装填部１２に装填されたときに取得して、メモリやレジスタなどに所定に保持しておく。この保持された識別情報に基づき、このステップＳ２３で、現在メディア装填部１２に装填されている記録メディア１３の識別情報と上述したステップＳ１９以前にメディア装填部１２に装填されていた記録メディア１３の識別情報とを比較することで、記録メディア１３が交換されたか否かを判断することができる。
【００３８】
若し、ステップＳ２３で、記録メディア１３が交換されていると判断されれば、処理はステップＳ２４に移行する。ステップＳ２４では、上述のステップＳ２２の処理に基づきバッファメモリに記録されたデータが交換された新たな記録メディア１３に記録されると共に、バッファメモリ内が空にされる。また、上述したステップＳ２６またはステップＳ２７で点滅状態とされていた赤色ＬＥＤのインジケータ１４Ａが消灯され、ステップＳ１８で消灯された緑色ＬＥＤのインジケータ１４Ｂが点灯される。そして、処理は、図３のステップＳ１０に戻され、交換された記録メディア１３に対する記録処理が開始される。
【００３９】
一方、ステップＳ２３で記録メディア１３が交換されていないと判断されれば、処理はステップＳ２０に戻される。
【００４０】
なお、ステップＳ２０〜ステップＳ２３の処理は、バッファメモリの空き容量が無くなるか、記録が中断されるまで繰り返される。
【００４１】
図４のステップＳ２０において、バッファメモリが記録可能な空き容量を有していないと判断されれば、処理はステップＳ２８に移行される。ステップＳ２８では、赤色ＬＥＤのインジケータ１４Ａが点灯状態とされ、次のステップＳ２９で、バッファメモリに対する記録が停止され、一連の記録処理が終了される。
【００４２】
なお、上述では、記録メディア１３の空き容量について、記録可能時間が１０分、５分、２分をそれぞれ閾値としてインジケータ１４Ｂの表示を変化させるようにしたが、これは一例であって、記録可能時間に対する閾値は、上述の値でなくてもよいし、段階も３段階に限られない。また、インジケータ１４Ｂの点滅間隔も、１５秒間隔、５秒間隔、１秒間隔は一例であって、上述の値でなくてもよい。バッファメモリに関するインジケータ１４Ａの表示例についても同様に、上述の例に限定されず、種々の変形が考えられる。
【００４３】
説明は図２に戻り、図２Ｂは、表示素子として例えばＬＣＤ(Liquid Crystal Display)のような、文字表示が可能な素子を用い、残記録時間をカウントダウンする残量カウンタを構成した例である。カウントする値としては、例えばタイムコードを用いることができる。この図２Ｂの例でも、上述の図２Ａと同様に、カウンタ１４Ａ’がバッファメモリの残記録時間のカウント値を表示し、カウンタ１４Ｂ’が記録メディア１３の残記録時間のカウント値を表示する。
【００４４】
なお、カウンタ１４Ａ’および１４Ｂ’は、文字表示により、バッファメモリおよび記録メディア１３の空き状況をそれぞれ表示することもできる。例えば、バッファメモリおよび記録メディア１３の空き容量を、具体的な数値で表示することも可能である。これに限らず、空き状況を示す言葉で表示することもできる。
【００４５】
表示部１４として、図２Ｂの、文字表示が可能なＬＣＤのような素子を用いた場合の、この発明の実施の第１の形態による残記録時間表示の一例の処理を、図５のフローチャートを用いて説明する。図５のフローチャートの処理に先立って、メディア装填部１２には既に記録メディア１３が装填され、撮像されたビデオ信号の記録メディア１３に対する記録が開始されているものとする。
【００４６】
ステップＳ１００で、現在記録中の記録メディア１３の空き容量が取得され、記録メディア１３が記録可能な空き容量を有しているか否かが判断される。若し、記録可能な空き容量を有していると判断されれば、処理はステップＳ１０１に移行する。ステップＳ１０１では、ステップＳ１００で取得された空き容量の情報に基づき、カウンタ１４Ｂ’に対して、当該記録メディア１３の残記録時間が表示される。一例として、記録するディジタルビデオ信号のビットレートが５０Ｍｂｐｓで、記録メディア１３の空き容量が２ＧＢであれば、あと３２０秒だけ、記録可能なことが表示される。そして、ステップＳ１０２で記録メディア１３に対する記録が継続され、処理はステップＳ１００に戻される。
【００４７】
なお、ステップＳ１００〜ステップＳ１０２の処理は、記録メディア１３の空き容量が無くなるか、記録が中断されるまで繰り返される。
【００４８】
一方、ステップＳ１００で、記録メディア１３が記録可能な空き容量を有していないと判断されれば、処理はステップＳ１０３に移行される。ステップＳ１０３では、表示部１４に対して、例えば記録メディア１３に空き容量が無くなった旨が表示され、次のステップＳ１０４で、ディジタルビデオ信号の記録先が記録メディア１３からバッファメモリへと切り替えられる。表示部１４の表示は、カウンタ１４Ｂ’に対してその旨示す文字列を表示させるようにしてもよいし、専用の表示素子を設けてもよい。
【００４９】
バッファメモリに対する記録に切り替わると、ステップＳ１０５で、バッファメモリの空き容量が取得され、バッファメモリが記録可能な空き容量を有しているか否かが判断される。若し、記録可能な空き容量を有していると判断されれば、処理はステップＳ１０６に移行する。ステップＳ１０６では、ステップＳ１０５で取得された空き容量の情報に基づき、カウンタ１４Ａ’に対して、バッファメモリの残記録時間が表示される。そして、ステップＳ１０７でバッファメモリに対する記録が継続され、処理はステップＳ１０８に移行される。
【００５０】
ステップＳ１０８では、記録メディア１３が交換されたか否かが判断される。若し、記録メディア１３が交換されていると判断されれば、処理はステップＳ１０９に移行し、上述のステップＳ１０７の処理に基づきバッファメモリに記録されたデータが交換された記録メディア１３に記録されると共に、バッファメモリ内が空にされる。そして、処理はステップＳ１００に戻され、交換された記録メディア１３に対する記録処理が開始される。
【００５１】
一方、ステップＳ１０８で、記録メディア１３が交換されていないと判断されれば、処理はステップＳ１０５に戻される。
【００５２】
なお、ステップＳ１０５〜ステップＳ１０８の処理は、バッファメモリに空き容量が無くなるか、記録が中断されるまで繰り返される。
【００５３】
一方、上述したステップＳ１０５において、バッファメモリが記録可能な空き容量を有していないと判断されれば、処理はステップＳ１１０に移行され、記録処理を停止する旨（またはバッファフル）が表示部１４の例えばカウンタ１４Ａ’に表示される。そして、次のステップＳ１１１でバッファメモリに対する記録が停止され、一連の記録処理が終了される。
【００５４】
このように、この発明の実施の第１の形態では、記録メディア１３に対して記録を行っている間は、記録メディア１３の空き容量に応じて表示部１４の表示を変化させるようにしているので、ユーザは、記録メディア１３の空き状況を外部から確認することができる。また、記録メディア１３の空き容量が無くなると、データの記録先がバッファメモリに切り替わるようにされ、バッファメモリに対して記録を行っている間は、バッファメモリの空き容量に応じて表示部１４の表示を変化させるようにしている。そのため、ユーザは、バッファメモリの空き状況を把握できると共に、メディア装填部１２に装填されている記録メディア１３を交換可能なタイミングを知ることができる。そのため、記録メディア１３を交換しながらのシームレスな連続記録が実現できる。
【００５５】
次に、この発明の実施の第２の形態について説明する。図６は、この発明の実施の第２の形態に適用されるビデオカメラ装置１’の一例の外観を概略的に示す。なお、図６において、上述の図１と同様に、ビューファインダや操作部などこの発明に関連性の薄い部分の記載を省略すると共に、図１と共通する部分には同一の符号を付して、詳細な説明を省略する。
【００５６】
図６に示されるように、実施の第２の形態によるビデオカメラ装置１’は、記録メディアを装填するための手段を、メディア装填部１２Ａおよび１２Ｂのように、複数備える。メディア装填部１２Ａおよび１２Ｂには、記録メディア１３Ａおよび１３Ｂをそれぞれ同時に装填することができる。なお、図６の例では、ビデオカメラ装置１’に対して、記録メディアを装填するためのメディア装填部がメディア装填部１２Ａおよび１２Ｂの２個設けられているが、これはこの例に限らず、さらに多数を設けてもよい。
【００５７】
表示部１４’は、複数のメディア装填部１２Ａおよび１２Ｂにそれぞれ対応した表示が可能なように構成される。図７は、表示部１４’の例を示す。図７Ａは、上述した図２Ａに対応し、表示素子として赤色ＬＥＤと緑色ＬＥＤとを用いたインジケータの例である。緑色ＬＥＤによるインジケータ１４Ｂ−１は、メディア装填部１２Ａに装填された記録メディア１３Ａの空き状況を示す表示を行い、緑色ＬＥＤによるインジケータ１４Ｂ−２は、メディア装填部１２Ｂに装填された記録メディア１３Ｂの空き状況を示す表示を行う。赤色ＬＥＤによるインジケータ１４Ａは、バッファメモリの空き状況を示す表示を行う。実施の第１の形態の場合と同様に、インジケータ１４Ａ、１４Ｂ−１および１４Ｂ−２共に、点灯および点滅、ならびに、点滅間隔の長短などの組み合わせで、残記録時間の有無や大小を表現することができる。
【００５８】
図８、図９および図１０のフローチャートを用いて、表示部１４として、図７Ａの赤色および緑色ＬＥＤによるインジケータ１４Ａ、１４Ｂ−１および１４Ｂ−２を用いた場合の、この実施の第２の形態による残記録時間表示の一例の処理について説明する。なお、図８、図９および図１０において、符号「Ｃ」、「Ｄ」および「Ｅ」は、処理がそれぞれ図８、図９および図１０の対応する符号に移行することを示す。また、図８、図９および図１０において、便宜上、緑色ＬＥＤによるインジケータ１４Ｂ−１が「緑ＬＥＤ（１）」、インジケータ１４Ｂ−２が「緑ＬＥＤ（２）」として記載されている。
【００５９】
図８、図９および図１０のフローチャートの処理に先立って、メディア装填部１２Ａには既に記録メディア１３Ａが装填され、撮像されたビデオ信号の記録メディア１３Ａに対する記録が開始されているものとする。なお、緑色ＬＥＤによるインジケータ１４Ｂ−１（またはインジケータ１４Ｂ−２）は、対応するメディア装填部１２Ａ（またはメディア装填部１２Ｂ）に新たに記録メディア１３が装填されたときに、点灯状態になるものとする。また、赤色ＬＥＤのインジケータ１４Ａは、初期状態では消灯状態であるものとする。
【００６０】
ステップＳ２００で、現在記録中の記録メディア１３Ａの空き容量が取得され、記録メディア１３Ａが記録可能な空き容量を有しているか否かが判断される。若し、記録可能な空き容量を有していると判断されれば、処理はステップＳ２０１に移行し、ステップＳ２００で取得された空き容量が例えば１０分以上の記録が可能な容量であるか否かが判断される。若し、ステップＳ２０１で１０分以上の記録が可能な空き容量が記録メディア１３Ａに存在すると判断されれば、処理はステップＳ２０２に移行され、記録メディア１３Ａに対する記録が継続される。
【００６１】
ステップＳ２０１で、記録メディア１３Ａの空き容量が１０分以上の記録が可能な容量ではないと判断されると、処理はステップＳ２０３に移行される。ステップＳ２０３では、記録メディア１３Ａの空き容量が５分以上の記録が可能な容量であるか否かが判断される。若し、空き容量が例えば５分以上（且つ１０分未満）の記録が可能な容量であると判断されれば、処理はステップＳ２０４に移行され、緑色ＬＥＤのインジケータ１４Ｂ−１が例えば１５秒間隔の点滅状態にされる。そして、処理はステップＳ２０２に移行して、記録メディア１３Ａに対する記録が継続される。
【００６２】
ステップＳ２０３で、記録メディア１３Ａの空き容量が５分以上の記録が可能な容量ではないと判断されると、処理はステップＳ２０５に移行される。ステップＳ２０５では、記録メディア１３Ａの空き容量が例えば２分以上（且つ５分未満）の記録が可能な容量であるか否かが判断される。若し、空き容量が２分以上の記録が可能な容量であると判断されれば、処理はステップＳ２０６に移行され、緑色ＬＥＤのインジケータ１４Ｂ−１が例えば５秒間隔の点滅状態にされる。そして、処理はステップＳ２０２に移行して、記録メディア１３Ａに対する記録が継続される。
【００６３】
ステップＳ２０５で、記録メディア１３Ａの空き容量が２分以上の記録が可能な容量ではないと判断されると、処理はステップＳ２０７に移行され、緑色ＬＥＤのインジケータ１４Ｂ−１が例えば１秒間隔の点滅状態にされる。そして、処理はステップＳ２０２に移行され、記録メディア１３Ａに対する記録が継続される。
【００６４】
なお、ステップＳ２００〜ステップＳ２０２の処理は、記録メディア１３Ａに空き容量が無くなるか、記録が中断されるまで繰り返される。
【００６５】
一方、上述したステップＳ２００において、記録メディア１３Ａが記録可能な空き容量を有していないと判断されれば、処理はステップＳ２０８に移行されて緑色ＬＥＤのインジケータ１４Ｂ−１が消灯状態とされる。そして、次のステップＳ２０９で、２枚目の記録メディアに記録可能か否か、すなわち、メディア装填部１２Ｂに記録メディア１３Ｂが装填されているか否かが判断される。
【００６６】
若し、メディア装填部１２Ｂに記録メディア１３Ｂが装填されていると判断されれば、処理はステップＳ２１０に移行し、記録メディア１３に対する記録処理が開始される。一方、ステップＳ２０９で、２枚目の記録メディアに記録不可、すなわち、メディア装填部１２Ｂに記録メディア１３Ｂが装填されていないと判断されれば、処理はステップＳ２２０に移行し、バッファメモリに対する記録処理が開始される。
【００６７】
説明は図９に移り、ステップＳ２１０で、現在記録中の記録メディア１３Ｂの空き容量が取得され、記録メディア１３Ｂが記録可能な空き容量を有しているか否かが判断される。若し、記録可能な空き容量を有していると判断されれば、処理はステップＳ２１１に移行する。
【００６８】
ステップＳ２１１では、ステップＳ２１０で取得された空き容量が１０分以上の記録が可能な容量であるか否かが判断される。若し、ステップＳ２１１で例えば１０分以上の記録が可能な空き容量が記録メディア１３Ｂに存在すると判断されれば、処理はステップＳ２１２に移行され、記録メディア１３Ｂに対する記録が継続される。
【００６９】
ステップＳ２１１で、記録メディア１３Ｂの空き容量が１０分以上の記録が可能な容量ではないと判断されると、処理はステップＳ２１３に移行される。ステップＳ２１３では、記録メディア１３Ｂの空き容量が例えば５分以上（且つ１０分未満）の記録が可能な容量であるか否かが判断される。若し、空き容量が５分以上の記録が可能な容量であると判断されれば、処理はステップＳ２１４に移行され、緑色ＬＥＤのインジケータ１４Ｂ−２が例えば１５秒間隔の点滅状態にされる。そして、処理はステップＳ２１２に移行して、記録メディア１３Ｂに対する記録が継続される。
【００７０】
ステップＳ２１３で、記録メディア１３Ｂの空き容量が５分以上の記録が可能な容量ではないと判断されると、処理はステップＳ２１５に移行される。ステップＳ２１５では、記録メディア１３Ｂの空き容量が例えば２分以上（且つ５分未満）の記録が可能な容量であるか否かが判断される。若し、空き容量が２分以上の記録が可能な容量であると判断されれば、処理はステップＳ２１６に移行され、緑色ＬＥＤのインジケータ１４Ｂ−２が例えば５秒間隔の点滅状態にされる。そして、処理はステップＳ２１２に移行して、記録メディア１３Ｂに対する記録が継続される。
【００７１】
ステップＳ２１５で、記録メディアの空き容量が２分以上の記録が可能な容量ではないと判断されると、処理はステップＳ２１７に移行され、緑色ＬＥＤのインジケータ１４Ｂ−２が例えば１秒間隔の点滅状態にされる。そして、処理はステップＳ２１２に移行され、記録メディア１３Ｂに対する記録が継続される。
【００７２】
なお、ステップＳ２１０〜ステップＳ２１２の処理は、記録メディア１３Ｂの空き容量が無くなるか、記録が中断されるまで繰り返される。
【００７３】
一方、上述したステップＳ２１０において、記録メディア１３Ｂが記録可能な空き容量を有していないと判断されれば、処理はステップＳ２１８に移行されて緑色ＬＥＤのインジケータ１４Ｂ−２が消灯状態とされる。そして、次のステップＳ２１９で、１枚目の記録メディアが交換されているか否か、すなわち、メディア装填部１２Ａに新たな記録メディア１３Ａが装填されているか否かが判断される。
【００７４】
若し、メディア装填部１２Ａに新たな記録メディア１３Ａが装填されていると判断されれば、処理は図８のステップＳ２００に戻され、記録メディア１３Ａに対する記録処理が開始される。一方、ステップＳ２１９で、１枚目の記録メディアに記録不可、例えば、メディア装填部１２Ａに新たな記録メディア１３Ａが装填されていないと判断されれば、処理はステップＳ２２０に移行し、バッファメモリに対する記録処理が開始される。
【００７５】
バッファメモリに対する記録に切り替わると、処理は図１０のステップＳ２２０に移行され、バッファメモリが記録可能な空き容量を有しているか否かが判断される。若し、記録可能な空き容量を有していると判断されれば、処理はステップＳ２２１に移行する。ステップＳ２２１では、ステップＳ２２０で取得されたバッファメモリの空き容量が例えば３０秒以上の記録を可能な容量であるか否かが判断される。若し、３０秒以上の記録を可能な空き容量であると判断されれば、処理はステップＳ２２２に移行され、バッファメモリに対する記録が継続される。
【００７６】
一方、ステップＳ２２１で、バッファメモリの空き容量が３０秒以上の記録を可能な容量ではないと判断されると、処理はステップＳ２２５に移行される。ステップＳ２２５では、バッファメモリの空き容量が例えば１５秒以上（且つ３０秒未満）の記録が可能な容量であるか否かが判断される。若し、空き容量が１５秒以上の記録が可能な容量であると判断されれば、処理はステップＳ２２６に移行され、赤色ＬＥＤのインジケータ１４Ａが例えば２秒間隔の点滅状態とされる。そして、処理はステップＳ２２２に移行し、バッファメモリに対する記録が継続される。
【００７７】
ステップＳ２２５で、バッファメモリの空き容量が１５秒以上の記録が可能な容量ではないと判断されると、処理はステップＳ２２７に移行され、赤色ＬＥＤのインジケータ１４Ａが例えば１秒間隔の点滅状態とされる。そして、処理はステップＳ２２２に移行され、バッファメモリに対する記録が継続される。
【００７８】
ステップＳ２２２において、バッファメモリへの記録が継続されると、次のステップＳ２２３で、メディア装填部１２Ａに装填される記録メディア１３Ａが交換されたか否かが判断される。若し、記録メディア１３Ａが交換されていると判断されれば、処理はステップＳ２２４に移行する。ステップＳ２２４では、上述のステップＳ２２２の処理に基づきバッファメモリに記録されたデータが交換された新たな記録メディア１３Ａに記録されると共に、バッファメモリ内が空にされる。また、上述したステップＳ２２６またはステップＳ２２７で点滅状態とされていた赤色ＬＥＤのインジケータ１４Ａが消灯される。そして、処理は、図３のステップＳ２０に戻され、交換された記録メディア１３Ａに対する記録処理が開始される。
【００７９】
なお、ステップＳ２２０〜ステップＳ２２３の処理は、バッファメモリに空き容量が無くなるか、記録が中断されるまで繰り返される。
【００８０】
また、ステップＳ２２３において、メディア装填部１２Ａおよび１２Ｂをそれぞれ調べ、記録メディア１３Ａおよび１３Ｂのうち何れか一方または両方が交換されたか否かを判断するようにしてもよい。この場合、例えばメディア装填部１２Ａの記録メディア１３Ａが交換されていない、若しくは、メディア装填部１２Ａに記録メディア１３Ａが装填されていなく、メディア装填部１２Ｂの記録メディア１３Ｂが交換されていると判断されれば、処理は図９のステップＳ２１０に移行され、交換された新たな記録メディア１３Ｂに対する記録処理が開始されるようにする。
【００８１】
一方、図１０のステップＳ２２０において、バッファメモリが記録可能な空き容量を有していないと判断されれば、処理はステップＳ２２８に移行される。ステップＳ２２８では、赤色ＬＥＤのインジケータ１４Ａが点灯状態とされ、次のステップＳ２２９で、バッファメモリに対する記録が停止され、一連の記録処理が終了される。
【００８２】
なお、上述では、記録メディア１３Ａおよび１３Ｂの空き容量について、記録可能時間が１０分、５分、２分をそれぞれ閾値としてインジケータ１４Ｂ−１および１４Ｂ−２の表示を変化させるようにしたが、これは一例であって、記録可能時間に対する閾値は、上述の値でなくてもよいし、段階も３段階に限られない。また、インジケータ１４Ｂ−１および１４Ｂ−２の点滅間隔も、１５秒間隔、５秒間隔、１秒間隔は一例であって、上述の値でなくてもよい。バッファメモリに関するインジケータ１４Ａの表示例についても同様に、上述の例に限定されず、種々の変形が考えられる。
【００８３】
図７の説明に戻り、図７Ｂは、表示素子として、文字表示が可能なＬＣＤのような素子を用い、残記録時間をカウントダウンする残量カウンタ１４Ｃを構成した例である。この図７Ｂの例では、１つの残量カウンタ１４Ｃに対し、メディア装填部１２Ａに装填された記録メディア１３Ａの残記録時間が「Ｓｌｏｔ  Ａ」のタイムコードとして表示され、メディア装填部１２Ｂに装填された記録メディア１３Ｂの残記録時間が「Ｓｌｏｔ  Ｂ」のタイムコードとして表示され、バッファメモリの残記録時間が「Ｂｕｆｆｅｒ」のタイムコードとして表示される。勿論、この例に限らず、メディア装填部１２Ａ、１２Ｂおよびバッファメモリにそれぞれ対応した残量カウンタを個別に設けてもよい。
【００８４】
なお、カウンタ１４Ｃは、上述した実施の第１の形態の場合と同様に、文字表示により、バッファメモリおよび記録メディア１３Ａおよび１３Ｂの空き状況をそれぞれ表示することもできる。
【００８５】
表示部１４として、図７Ｂの、文字表示が可能なＬＣＤのような素子を用いた場合の、この発明の実施の第２の形態による残記録時間表示の一例の処理について、図１１のフローチャートを用いて説明する。この図１１のフローチャートの処理に先立って、メディア装填部１２Ａには既に記録メディア１３Ａが装填され、撮像されたビデオ信号の記録メディア１３Ａに対する記録が開始されているものとする。
【００８６】
ステップＳ３００で、１枚目の記録メディア、すなわち、現在記録中の記録メディア１３Ａの空き容量が取得され、記録メディア１３Ａが記録可能な空き容量を有しているか否かが判断される。若し、記録可能な空き容量を有していると判断されれば、処理はステップＳ３０１に移行する。ステップＳ３０１では、ステップＳ３００で取得された空き容量の情報に基づき、カウンタ１４Ｃの「Ｓｌｏｔ  Ａ」に対して、当該記録メディア１３Ａの残記録時間が表示される。そして、ステップＳ３０２で記録メディア１３Ａに対する記録が継続され、処理はステップＳ３００に戻される。
【００８７】
なお、ステップＳ３００〜ステップＳ３０２の処理は、記録メディア１３Ａの空き容量が無くなるか、記録が中断されるまで繰り返される。
【００８８】
一方、ステップＳ３００で、記録メディア１３Ａが記録可能な空き容量を有していないと判断されれば、処理はステップＳ３０３に移行され、カウンタ１４Ｃに対して、例えば記録メディア１３Ａの空き容量が無くなった旨が表示される。そして、ステップＳ３０４で２枚目の記録メディア、すなわち、メディア装填部１２Ｂに装填される記録メディア１３Ｂへの記録処理の切り替えが行われる。カウンタ１４Ｃの表示は、「Ｓｌｏｔ  Ａ」に対してその旨示す文字列を表示させるようにしてもよいし、専用の表示素子を設けてもよい。
【００８９】
２枚目の記録メディアに対する記録に切り替わると、ステップＳ３０５で、２枚目の記録メディアに記録可能か否か、すなわち、メディア装填部１２Ｂに記録メディア１３Ｂが装填されているか否かが判断される。若し、メディア装填部１２Ｂに記録メディア１３Ｂが装填されていると判断されれば、処理はステップＳ３０６に移行される。
【００９０】
ステップＳ３０６では、２枚目の記録メディアである記録メディア１３Ｂの空き容量が取得され、記録メディア１３Ｂが記録可能な空き容量を有しているか否かが判断される。若し、記録可能な空き容量を有していると判断されれば、処理はステップＳ３０７に移行し、ステップＳ３０６で取得された空き容量の情報に基づき、カウンタ１４Ｃの「Ｓｌｏｔ  Ｂ」に対して、当該記録メディア１３Ｂの残記録時間が表示される。そして、ステップＳ３０８で記録メディア１３Ｂに対する記録が継続され、処理はステップＳ３０６に戻される。
【００９１】
なお、ステップＳ３０６〜ステップＳ３０８の処理は、記録メディア１３Ｂの空き容量が無くなるか、記録が中断されるまで繰り返される。
【００９２】
一方、ステップＳ３０６で、記録メディア１３Ｂが記録可能な空き容量を有していないと判断されれば、処理はステップＳ３０９に移行され、例えばカウンタ１４Ｃに対して、例えば記録メディア１３Ｂの空き容量が無くなった旨が表示される。そして、次のステップＳ３１０で、記録先がバッファメモリへと切り替えられる。
【００９３】
バッファメモリに対する記録に切り替わると、ステップＳ３１１でバッファメモリの空き容量が取得され、バッファメモリが記録可能な空き容量を有しているか否かが判断される。若し、記録可能な空き容量を有していると判断されれば、処理はステップＳ３１２に移行すし、ステップＳ３１１で取得された空き容量の情報に基づき、表示部１４の「Ｂｕｆｆｅｒ」に対してバッファメモリの残記録時間が表示される。そして、ステップＳ３１３でバッファメモリに対する記録が継続され、処理はステップＳ３１４に移行される。
【００９４】
ステップＳ３１４では、メディア装填部１２Ａに装填される記録メディア１３Ａが交換されたか否かが判断される。若し、記録メディア１３Ａが交換されていると判断されれば、処理はステップＳ３１５に移行し、上述のステップＳ３１３の処理に基づきバッファメモリに記録されたデータが交換された記録メディア１３Ａに記録されると共に、バッファメモリ内が空にされる。そして、処理はステップＳ３００に戻され、交換された記録メディア１３Ａに対する記録処理が開始される。
【００９５】
一方、ステップＳ３１４で、記録メディア１３Ａが交換されていないと判断されれば、処理はステップＳ３１１に戻される。
【００９６】
なお、ステップＳ３１１〜ステップＳ３１４の処理は、バッファメモリの空き容量が無くなるか、記録が中断されるまで繰り返される。
【００９７】
また、ステップＳ３１４において、メディア装填部１２Ａおよび１２Ｂをそれぞれ調べ、記録メディア１３Ａおよび１３Ｂのうち何れか一方または両方が交換されたか否かを判断するようにしてもよい。この場合、この場合、例えばメディア装填部１２Ａの記録メディア１３Ａが交換されていない、若しくは、メディア装填部１２Ａに記録メディア１３Ａが装填されていなく、メディア装填部１２Ｂの記録メディア１３Ｂが交換されていると判断されれば、処理はステップＳ３０４に移行され、交換された記録メディア１３Ｂに対する記録処理が開始されるようにする。
【００９８】
上述したステップＳ３１０において、バッファメモリが記録可能な空き容量を有していないと判断されれば、処理はステップＳ３１６に移行され、例えば記録処理を停止する旨（またはバッファフル）がカウンタ１４Ｃに表示される。そして、次のステップＳ３１７でバッファメモリに対する記録が停止され、一連の記録処理が終了される。
【００９９】
このように、この発明の実施の第２の形態では、複数のメディア装填部にそれぞれ装填された複数の記録メディアのうち現在記録が行われている記録メディアについて、当該記メディアの空き容量に応じて表示部１４の表示を変化させるようにしているので、ユーザは、現在どの記録メディアに対して記録を行っていて、記録中の記録メディアの空き状況がどうなっているかを外部から即座に確認することができる。
【０１００】
また、複数の記録メディアのうち１の記録メディアの空き容量が無くなると、データの記録先が次の記録メディアに切り替わり、複数のメディア装填部に装填された全ての記録メディアについて空き容量が無くなると、データの記録先がバッファメモリに切り替わるようにされている。そして、バッファメモリに対して記録を行っている間も、バッファメモリの空き容量に応じて表示部１４の表示が変化させるようにしている。そのため、ユーザは、バッファメモリの情報を容易に把握できると共に、複数のメディア装填部のそれぞれについて、装填されている記録メディアを交換可能なタイミングを知ることができる。特に、多数（５枚など）の記録メディアを同時に装填できるようにされた装置の場合、どの記録メディアが記録中で、どの記録メディアに空き容量が無いかが一目で分かるので、交換すべき記録メディアを即座に判断することができる。そのため、記録メディアを交換しながらのシームレスな連続記録が実現できる。
【０１０１】
図１２は、この実施の第２の形態に適用可能なビデオカメラ装置１’の一例の構成を示す。被写体からの光は、レンズ系３０を介して、例えばＣＣＤ(Charge Coupled Device)からなる撮像素子３１に入射される。撮像素子３１は、後述するカメラ信号処理部３５から供給されるタイミングに従った撮像素子制御部３３の制御により駆動され、入射された光を電気信号に変換し、出力する。撮像素子３１の出力信号は、ＣＤＳ(Correlated Double Sampling)／ＡＧＣ(Auto Gain Controller)部３２でサンプリングおよびゲインコントロールされ、さらに同期信号を付加されてビデオ信号とされる。このビデオ信号は、Ａ／Ｄ変換器３４でディジタルビデオ信号に変換され、カメラ信号処理部３５に供給される。
【０１０２】
カメラ信号処理部３５は、システム制御部４５と連携し、Ａ／Ｄ変換器３４の出力に基づきタイミング生成を行うと共に、自動露光制御、オートフォーカス制御などを行う。カメラ信号処理部３５の出力は、メモリ制御部３６を介してビデオ処理部３８に供給される。
【０１０３】
メモリ制御部３６は、例えばＣＰＵ(Central Processing Unit)からなるシステム制御部４５の命令に従い、汎用メモリであるメモリ３７に対するアクセス制御を行う。汎用メモリ３７は、システム制御部４５に供給するプログラムやデータが予め格納されるＲＯＭ(Read Only Memory)としての機能や、システム制御部４５のワークメモリとして用いられるＲＡＭとしての機能を有する。また、カメラ信号処理部３５から出力されたディジタルビデオ信号をメモリ３７に格納し、様々な画像処理を施すことも可能である。
【０１０４】
ビデオ処理部３８は、供給されたディジタルビデオ信号に対して所定の映像処理を行う。映像処理された信号は、Ｄ／Ａ変換器３９でアナログビデオ信号に変換され、ビューファインダ４０に供給される。また、ビデオ処理部３８では、映像処理されたディジタルビデオ信号に対してさらに圧縮符号化処理を施す。圧縮符号化処理は、例えば圧縮符号化されたディジタルビデオ信号のビットレートが所定の値となるように、例えばフレーム毎に圧縮符号化後の符号量を見積もりながら行われる。圧縮符号化方式としては、例えばＭＰＥＧ２(Moving Pictures Experts Group 2)方式を用いることができる。
【０１０５】
ビデオ処理部３８で圧縮符号化されたディジタルビデオ信号は、複数メディア制御部４１に供給される。複数メディア制御部４１は、記録メディアに対して記録処理を行う複数の記録部が複数、接続される。この図１２の例では、２個の記録部４３Ａおよび４３Ｂが複数メディア制御部４１に対して接続される。また、複数メディア制御部４１には、バッファメモリ４２も接続される。
【０１０６】
複数メディア制御部４１は、システム制御部４５の制御に基づき、ディジタルビデオ信号を、記録部４３Ａ、記録部４３Ｂおよびバッファメモリ４２から選択して供給する。また、複数メディア制御部４１は、ディジタルビデオ信号のバッファメモリに対する書き込み制御や、バッファメモリ４２に記録されたディジタルビデオ信号を読み出して、記録部４３Ａおよび４３Ｂのうち選択された側に供給する制御も行う。
【０１０７】
記録部４３Ａおよび４３Ｂは、供給されたディジタルビデオ信号を、記録メディアに対して記録する。記録メディアの種類は特に限定されないが、例えば、記録部４３Ａおよび４３Ｂを記録可能な光ディスクに対応したドライブ装置とすることができる。この場合には、記録部４３Ａおよび４３Ｂは、供給されたディジタルビデオ信号に対して光ディスクに記録するのに適した記録符号化処理を施して、装填された光ディスクに記録する。また、記録部４３Ａおよび４３Ｂを、着脱自在の半導体メモリに対応した装置とすることができる。この場合には、記録部４３Ａおよび４３Ｂは、供給されたディジタルビデオ信号を装填された半導体メモリに転送する際の、アドレス制御やタイミング制御などを行う。
【０１０８】
なお、記録部４３Ａおよび４３Ｂは、同一種類の記録メディアに対応するものでなくてもよい。例えば、記録部４３Ａが半導体メモリに対応するものとし、記録部４３Ｂが記録可能な光ディスクに対応するものとしてもよい。
【０１０９】
複数メディア制御部４１にさらに接続される表示部４４は、図１や図６で説明した表示部１４や表示部１４’に対応するもので、表示素子として例えば赤色および緑色のＬＥＤや、ＬＣＤが用いられる。表示部４４は、複数メディア制御部４１の制御に基づき、記録部４３Ａ、４３Ｂおよびバッファメモリ４２の空き容量に応じた表示を行う。
【０１１０】
システム制御部４５は、既に述べたように、例えばＣＰＵからなり、メモリ３７に記憶されるプログラムに従いこのビデオカメラ装置１’の全体を制御する。例えば、操作部４６に対するユーザの操作に応じて、撮像信号の記録開始や終了を、ビデオカメラ装置１’の各部に対して命令する。また、システム制御部４５にさらに接続されるタイマ４７は、システム制御部４５に対して時間および時刻情報を与える。表示部４４に表示されるタイムコードは、タイマ４７から出力される時間情報に基づき生成することができる。表示部４４によるＬＥＤの点滅間隔なども、タイマ４７か出力される時間情報に基づき制御することができる。
【０１１１】
なお、この図１２に一例が示されるビデオカメラ装置１’の構成は、例えば記録部４３Ａおよび４３Ｂのうち一方だけを用いることで、この発明の実施の第１の形態によるビデオカメラ装置１にも適用することができる。
【０１１２】
このような構成において、上述した図３および図４、図５、図８〜図１０、ならびに、図１１のフローチャートを用いて説明したような処理は、例えば、メモリ３７に記憶されるプログラムに従ったシステム制御部４５による制御、ならびに、当該プログラムに従ったシステム制御部４５の命令に基づく複数メディア制御部４１の制御などにより実行される。
【０１１３】
なお、ディジタルビデオ信号の記録先の切り替えは、ディジタルビデオ信号に対する時間軸方向の圧縮符号化が完結するような単位で行うと、後に複数の記録メディアや複数のファイルに分割されたディジタルビデオ信号がそれぞれ単独で再生可能となると共に、分割されたディジタルビデオ信号を１本のビデオストリームに繋ぐ処理が容易に行えて、より好ましい。例えば、ディジタルビデオ信号の圧縮符号化方式としてＭＰＥＧ２方式を用いる場合、ＧＯＰ(Group Of Picture)の境界で切り替えを行うことが考えられる。
【０１１４】
例えば、実施の第１の形態の例では、記録メディア１３からバッファメモリへの切り替え、バッファメモリから記録メディア１３への切り替えが行われる。実施の第２の形態では、記録メディア１３Ａから記録メディア１３Ｂまたはバッファメモリへの切り替え、記録メディア１３Ｂからバッファメモリまたは記録メディア１３Ａへの切り替え、バッファメモリから記録メディア１３Ａまたは記録メディア１３Ｂへの切り替えが行われる。これらの切り替えの際に、この方法を適用するとよい。
【０１１５】
また、上述では、ビデオ処理部３８においてディジタルビデオ信号をビットレートが略一定になるように圧縮符号化し、記録メディアまたはバッファメモリに記録されるディジタルビデオ信号のビットレートを略一定としたが、これはこの例に限定されない。例えば、記録中に、ビデオ処理部３８における圧縮符号化の際の出力ビットレートを切り替えるような場合にも、この発明を適用することができる。この場合には、現在のビットレートの値に応じて記録メディアまたはバッファメモリの空き容量が求められ、それに基づき、表示部１４（または表示部１４’）の表示が変更させられるようにするとよい。
【図面の簡単な説明】
【０１１６】
【図１】この発明の実施の第１の形態に適用されるビデオカメラ装置の外観を概略的に示す略線図である。
【図２】表示部の例を示す略線図である。
【図３】表示部として赤色および緑色ＬＥＤによるインジケータを用いた場合の、この実施の第１の形態による残記録時間表示の一例の処理を示すフローチャートである。
【図４】表示部として赤色および緑色ＬＥＤによるインジケータを用いた場合の、この実施の第１の形態による残記録時間表示の一例の処理を示すフローチャートである。
【図５】文字表示が可能なＬＣＤのような素子を用いた場合の、この発明の実施の第１の形態による残記録時間表示の一例の処理を示すフローチャートである。
【図６】この発明の実施の第２の形態に適用されるビデオカメラ装置の一例の外観を概略的に示す。
【図７】表示部の例を示す略線図である。
【図８】表示部として赤色および緑色ＬＥＤによるインジケータを用いた場合の、この実施の第２の形態による残記録時間表示の一例の処理を示すフローチャートである。
【図９】表示部として赤色および緑色ＬＥＤによるインジケータを用いた場合の、この実施の第２の形態による残記録時間表示の一例の処理を示すフローチャートである。
【図１０】表示部として赤色および緑色ＬＥＤによるインジケータを用いた場合の、この実施の第２の形態による残記録時間表示の一例の処理を示すフローチャートである。
【図１１】表示部として文字表示が可能なＬＣＤのような素子を用いた場合の、この発明の実施の第２の形態による残記録時間表示の一例の処理を示すフローチャートである。
【図１２】実施の第２の形態に適用可能なビデオカメラ装置の一例の構成を示すブロック図である。
【符号の説明】
【０１１７】
１，１  ビデオカメラ装置
１２，１２Ａ，１２Ｂ  メディア装填部
１３，１３Ａ，１３Ｂ  記録メディア
１４  表示部
３８  ビデオ処理部
４１  複数メディア制御部
４２  バッファメモリ
４３Ａ，４３Ｂ  記録部
４４  表示部
４５  システム制御部
４６  操作部
４７  タイマ
【図１】
2005310214.tif 000003
【図２】
2005310214.tif 000004
【図３】
2005310214.tif 000005
【図４】
2005310214.tif 000006
【図５】
2005310214.tif 000007
【図６】
2005310214.tif 000008
【図７】
2005310214.tif 000009
【図８】
2005310214.tif 000010
【図９】
2005310214.tif 000011
【図１０】
2005310214.tif 000012
【図１１】
2005310214.tif 000013
【図１２】
2005310214.tif 000014